(57)【要約】【課題】信号の品質を劣化させることなく、多くのリモート送受信装置を無線基地局本体装置に接続できる無線基地局システムを提供する。【解決手段】無線基地局本体装置のＢＩＦ８は、ＴＲＸ５からデジタルベースバンド信号を受信する受信器２１ｂ、２１ｅを備える。ＴＲＸ５は、後段のＴＲＸからデジタルベースバンド信号を受信する受信器２１ｄと、移動体通信端末からアナログ無線信号を受信してデジタルベースバンド信号に変換する無線送受信部１５と、この無線送受信部１５から出力されたデジタルベースバンド信号をＢＩＦ８に送信する送信器２０ｂと、受信部２１ｄで受信したデジタルベースバンド信号をＢＩＦ８に送信する送信器２０ｄとを備える。通信ケーブル６は、ＢＩＦ８の受信器２１ｂとＴＲＸ５の送信器２０ｂとを接続するデジタル伝送路１６ｂと、ＢＩＦ８の受信部２１ｅとＴＲＸ５の送信部２０ｄとを接続するデジタル伝送路１６ｆとを備える。【選択図】      図２
2004173133.tif 000002
【特許請求の範囲】
【請求項１】
無線基地局本体装置と複数のリモート送受信装置とを通信ケーブルでカスケード接続することによって構成され、移動体通信端末との間で無線通信を行う無線基地局システムであって、
前記無線基地局本体装置は、リモート送受信装置からデジタルベースバンド信号を受信する第１有線受信部および第２有線受信部を備え、
前記リモート送受信装置は、後段のリモート送受信装置からデジタルベースバンド信号を受信する有線受信部と、移動体通信端末からアナログ無線信号を受信してデジタルベースバンド信号に変換する無線送受信部と、この無線送受信部から出力されたデジタルベースバンド信号を無線基地局本体装置に送信する第１有線送信部と、前記有線受信部で受信したデジタルベースバンド信号を無線基地局本体装置に送信する第２有線送信部とを備え、
前記通信ケーブルは、無線基地局本体装置の第１有線受信部とリモート送受信装置の第１有線送信部とを接続する第１デジタル伝送路と、無線基地局本体装置の第２有線受信部とリモート送受信装置の第２有線送信部とを接続する第２デジタル伝送路とを備えたことを特徴とする無線基地局システム。
【請求項２】
無線基地局本体装置とリモート送受信装置とを通信ケーブルで接続することによって構成され、移動体通信端末との間で無線通信を行う無線基地局システムであって、
前記無線基地局本体装置は、リモート送受信装置にデジタルベースバンド信号を送信する有線送信部を備え、
前記リモート送受信装置は、無線基地局本体装置からデジタルベースバンド信号を受信する有線受信部と、この有線受信部で受信したデジタルベースバンド信号をアナログ無線信号に変換して移動体通信端末に送信する無線送受信部とを備え、
前記通信ケーブルは、無線基地局本体装置の有線送信部とリモート送受信装置の有線受信部とを接続するデジタル伝送路を備え、
前記リモート送受信装置の無線送受信部は、前記有線受信部で受信したデジタルベースバンド信号に対し所定の周波数帯域外の成分を除去するデジタルフィルタを備えたことを特徴とする無線基地局システム。
【請求項３】
無線基地局本体装置とリモート送受信装置とを通信ケーブルで接続することによって構成され、移動体通信端末との間で無線通信を行う無線基地局システムであって、
前記無線基地局本体装置は、リモート送受信装置を制御するための制御信号を出力する制御部と、この制御部から出力された制御信号に誤り検出符号を付加して有線送信部に出力する誤り検出符号付加部と、この誤り検出符号付加部から出力された制御信号をリモート送受信装置に送信する有線送信部とを備え、
前記リモート送受信装置は、無線基地局本体装置からの制御信号を受信する有線受信部と、この有線受信部で受信した制御信号に対し誤り検出処理を行う誤り検出部と、この誤り検出部から出力された制御信号に基づいた制御を行う制御部とを備え、
前記通信ケーブルは、無線基地局本体装置の有線送信部とリモート送受信装置の有線受信部とを接続するデジタル伝送路を備え、
前記リモート送受信装置の制御部は、誤り検出部で誤りが検出されなかった制御信号に基づいた制御を行うことを特徴とする無線基地局システム。
【請求項４】
無線基地局本体装置とリモート送受信装置とを通信ケーブルで接続することによって構成され、移動体通信端末との間で無線通信を行う無線基地局システムであって、
前記リモート送受信装置は、状態を検出して検出結果を通知するための状態通知信号を出力する制御部と、この制御部から出力された状態通知信号に対し誤り検出符号を付加する誤り検出符号付加部と、この誤り検出符号付加部から出力された状態通知信号を無線基地局本体装置に送信する有線送信部とを備え、
前記無線基地局本体装置は、リモート送受信装置から状態通知信号を受信する有線受信部と、この有線受信部で受信した状態通知信号に対し誤り検出処理を行う誤り検出部と、この誤り検出部から出力された状態通知信号に基づいた制御を行う制御部とを備え、
前記通信ケーブルは、無線基地局本体装置の有線受信部とリモート送受信装置の有線送信部とを接続するデジタル伝送路を備え、
前記無線基地局本体装置の制御部は、誤り検出部で誤りが検出されなかった状態通知信号を出力することを特徴とする無線基地局システム。
【請求項５】
無線基地局本体装置とリモート送受信装置とを通信ケーブルで接続することによって構成され、移動体通信端末との間で無線通信を行う無線基地局システムであって、
前記無線基地局本体装置は、クロック信号を生成するクロック生成部と、このクロック生成部から出力されたクロック信号に同期させてリモート送受信装置にデジタルベースバンド信号を送信する有線送信部とを備え、
前記リモート送受信装置は、無線基地局本体装置からのデジタルベースバンド信号を受信するとともにクロック信号を再生する有線受信部を備え、
前記通信ケーブルは、無線基地局本体装置の有線送信部とリモート送受信装置の有線受信部とを接続するデジタル伝送路を備えたことを特徴とする無線基地局システム。
【発明の詳細な説明】
【０００１】
【発明の属する技術分野】
本発明は、無線基地局本体装置とリモート送受信装置とを通信ケーブルで接続して構成され、移動体通信端末との間で無線通信を行う無線基地局システムに関するものである。
【０００２】
【従来の技術】
従来の無線基地局システムは、例えば、特許文献１に記載されるように、リモート送受信装置と無線基地局本体装置との間のデジタル信号区間を延伸した構成となっている。また、このような無線基地局システムにおいて、無線基地局本体装置からリモート送受信装置に向かって伝送される下り信号に制御信号を多重化し、リモート送受信装置から無線基地局本体装置に向かって伝送される上り信号に監視信号を多重化することにより、監視制御を実現している。なお、特許文献１では、子局が移動体通信端末に、親局がリモート送受信装置に、基地局が無線基地局本体装置にそれぞれ相当する。
【０００３】
【特許文献１】特開平６−１６５２４０号公報（図８、段落００３９）
【特許文献２】特開平９−８３４５０号公報（図６、段落００２９）
【発明が解決しようとする課題】
しかしながら、従来の無線基地局システムでは、次のような問題がある。
【０００４】
第１に、例えば、１台の無線基地局本体装置に対する収容ユーザ数を増やすために、多数のリモート送受信装置をカスケード接続しようとしても、無線基地局本体装置とリモート送受信装置とを接続するデジタル伝送路の伝送容量に制限があることによって、リモート送受信装置の接続台数が制限されてしまう。或いは、デジタル伝送路の伝送データ量を減らすことによって、多数のリモート送受信装置を接続することが可能であるが、伝送データ量を減らすことは、すなわち伝送信号の品質を劣化させることであるため、有効な手段とはいえない。
【０００５】
第２に、無線基地局本体装置からリモート送受信装置への下りのデジタル伝送路において伝送信号にノイズが相加された場合、リモート送受信装置から移動体通信端末にノイズが相加された状態の無線信号が伝送され、無線の通信品質が劣化してしまう。
【０００６】
第３に、監視制御のために無線基地局本体装置とリモート送受信装置との間で伝送される制御信号および監視信号について、デジタル伝送路上で誤りを発生した場合、誤った制御信号および監視信号に基づいて誤った監視制御が行われることになる。
【０００７】
第４に、従来の無線基地局システムでは、無線基地局本体装置からリモート送受信装置にクロック信号を伝達する手段がなく、一般には、クロック伝達用の専用伝送路が必要となるため、設備規模が大きくなってしまう。
【０００８】
本発明の第１目的は、通信ケーブルを介して伝送される信号の品質を劣化させることなく、多くのリモート送受信装置を無線基地局本体装置に接続できる無線基地局システムを提供することである。
【０００９】
また本発明の第２目的は、通信ケーブルにおいて発生するノイズ相加の影響を抑制することによって、無線の通信品質を向上できる無線基地局システムを提供することである。
【００１０】
また本発明の第３目的は、通信ケーブルを介して行われる無駄な信号伝送を抑制できる無線基地局システムを提供することである。
【００１１】
また本発明の第４目的は、クロック信号を伝達するための専用伝送路を設けることなく設備規模が小さい無線基地局システムを提供することである。
【００１２】
【課題を解決するための手段】
本発明は、無線基地局本体装置と複数のリモート送受信装置とを通信ケーブルでカスケード接続することによって構成され、移動体通信端末との間で無線通信を行う無線基地局システムであって、
前記無線基地局本体装置は、リモート送受信装置からデジタルベースバンド信号を受信する第１有線受信部および第２有線受信部を備え、
前記リモート送受信装置は、後段のリモート送受信装置からデジタルベースバンド信号を受信する有線受信部と、移動体通信端末からアナログ無線信号を受信してデジタルベースバンド信号に変換する無線送受信部と、この無線送受信部から出力されたデジタルベースバンド信号を無線基地局本体装置に送信する第１有線送信部と、前記有線受信部で受信したデジタルベースバンド信号を無線基地局本体装置に送信する第２有線送信部とを備え、
前記通信ケーブルは、無線基地局本体装置の第１有線受信部とリモート送受信装置の第１有線送信部とを接続する第１デジタル伝送路と、無線基地局本体装置の第２有線受信部とリモート送受信装置の第２有線送信部とを接続する第２デジタル伝送路とを備えたことを特徴とする無線基地局システムである。
【００１３】
また本発明は、無線基地局本体装置とリモート送受信装置とを通信ケーブルで接続することによって構成され、移動体通信端末との間で無線通信を行う無線基地局システムであって、
前記無線基地局本体装置は、リモート送受信装置にデジタルベースバンド信号を送信する有線送信部を備え、
前記リモート送受信装置は、無線基地局本体装置からデジタルベースバンド信号を受信する有線受信部と、この有線受信部で受信したデジタルベースバンド信号をアナログ無線信号に変換して移動体通信端末に送信する無線送受信部とを備え、
前記通信ケーブルは、無線基地局本体装置の有線送信部とリモート送受信装置の有線受信部とを接続するデジタル伝送路を備え、
前記リモート送受信装置の無線送受信部は、前記有線受信部で受信したデジタルベースバンド信号に対し所定の周波数帯域外の成分を除去するデジタルフィルタを備えたことを特徴とする無線基地局システムである。
【００１４】
また本発明は、無線基地局本体装置とリモート送受信装置とを通信ケーブルで接続することによって構成され、移動体通信端末との間で無線通信を行う無線基地局システムであって、
前記無線基地局本体装置は、リモート送受信装置を制御するための制御信号を出力する制御部と、この制御部から出力された制御信号に誤り検出符号を付加して有線送信部に出力する誤り検出符号付加部と、この誤り検出符号付加部から出力された制御信号をリモート送受信装置に送信する有線送信部とを備え、
前記リモート送受信装置は、無線基地局本体装置からの制御信号を受信する有線受信部と、この有線受信部で受信した制御信号に対し誤り検出処理を行う誤り検出部と、この誤り検出部から出力された制御信号に基づいた制御を行う制御部とを備え、
前記通信ケーブルは、無線基地局本体装置の有線送信部とリモート送受信装置の有線受信部とを接続するデジタル伝送路を備え、
前記リモート送受信装置の制御部は、誤り検出部で誤りが検出されなかった制御信号に基づいた制御を行うことを特徴とする無線基地局システムである。
【００１５】
また本発明は、無線基地局本体装置とリモート送受信装置とを通信ケーブルで接続することによって構成され、移動体通信端末との間で無線通信を行う無線基地局システムであって、
前記リモート送受信装置は、状態を検出して検出結果を通知するための状態通知信号を出力する制御部と、この制御部から出力された状態通知信号に対し誤り検出符号を付加する誤り検出符号付加部と、この誤り検出符号付加部から出力された状態通知信号を無線基地局本体装置に送信する有線送信部とを備え、
前記無線基地局本体装置は、リモート送受信装置から状態通知信号を受信する有線受信部と、この有線受信部で受信した状態通知信号に対し誤り検出処理を行う誤り検出部と、この誤り検出部から出力された状態通知信号に基づいた制御を行う制御部とを備え、
前記通信ケーブルは、無線基地局本体装置の有線受信部とリモート送受信装置の有線送信部とを接続するデジタル伝送路を備え、
前記無線基地局本体装置の制御部は、誤り検出部で誤りが検出されなかった状態通知信号を出力することを特徴とする無線基地局システム。
【００１６】
また本発明は、無線基地局本体装置とリモート送受信装置とを通信ケーブルで接続することによって構成され、移動体通信端末との間で無線通信を行う無線基地局システムであって、
前記無線基地局本体装置は、クロック信号を生成するクロック生成部と、このクロック生成部から出力されたクロック信号に同期させてリモート送受信装置にデジタルベースバンド信号を送信する有線送信部とを備え、
前記リモート送受信装置は、無線基地局本体装置からのデジタルベースバンド信号を受信するとともにクロック信号を再生する有線受信部を備え、
前記通信ケーブルは、無線基地局本体装置の有線送信部とリモート送受信装置の有線受信部とを接続するデジタル伝送路を備えたことを特徴とする無線基地局システムである。
【００１７】
【発明の実施の形態】
図１は、本発明の実施の形態に関連する無線通信システム全体を示す構成図である。無線通信システムは、無線ネットワーク制御装置１、無線基地局システム２および移動体通信端末３によって構成される。無線ネットワーク制御装置１は、複数の無線基地局システム２に接続され、これらを制御する。無線基地局システム２は、移動体通信端末３との間で無線信号を送受し、上位の無線ネットワーク制御装置１に対して有線で信号を送受する。移動体通信端末３は、ユーザによって携帯され、移動しながら無線基地局システム２と通信する端末である。
【００１８】
無線基地局システム２は、無線基地局本体装置４、複数のリモート送受信装置（Ｔｒａｎｓｍｉｔｔｅｒ  ＆  Ｒｅｃｅｉｖｅｒ；ＴＲＸ）５、これらをカスケード接続する通信ケーブル６及びリピータ７によって構成される。リピータ７は、無線基地局本体装置４とＴＲＸ５との間に介在する他、ＴＲＸ５同士の間にも介在し、伝送信号を増幅する。また、図１に示すように、無線基地局システム２では、複数筋のカスケード接続が可能である。無線基地局本体装置４は、さらに無線基地局インタフェイス部（Ｂａｓｅ  Ｔｒａｎｓｃｅｉｖｅｒ  Ｓｔａｔｉｏｎ  Ｉｎｔｅｒｆａｃｅ；ＢＩＦ）８、ベースバンド信号処理部（Ｂａｓｅ  Ｂａｎｄ  ｓｉｇｎａｌ  ｐｒｏｃｅｓｓｏｒ；ＢＢ）９、有線伝送路インタフェイス部１０、呼処理制御部１１、保守監視制御部１２、及びクロック生成部１３を備えている。
【００１９】
次に、図１の無線基地局システム２における一筋のカスケード接続について信号の流れを説明する。
【００２０】
まず、上り回線では、各移動体通信端末３からのアナログ無線信号が各リモート送受信装置５で受信され、各リモート送受信装置５内でデジタルベースバンド信号に変換される。無線基地局本体装置４から見てカスケード接続の末端に配置されたリモート送受信装置５において、受信され変換された後のデジタルベースバンド信号は、カスケード接続された各リモート送受信装置５を無線基地局本体装置４側に向かって経由する間に、各リモート送受信装置５自身によって受信され変換されたデジタルベースバンド信号と時分割多重化処理され、最終的に無線基地局本体装置４のＢＩＦ８へ伝送される。続いて、ベースバンド信号処理部（ＢＢ）９にてスペクトル逆拡散・誤り訂正などの処理が行われ、有線伝送路インタフェイス部１０を経由して有線ネットワークに信号が送出される。
【００２１】
逆に、下り回線では、有線ネットワークからの信号に対し、ベースバンド信号処理部（ＢＢ）９にてスペクトル拡散処理が行われ、ＢＩＦ８から各ＴＲＸ５に向けてデジタルベースバンド信号が送出される。このデジタルベースバンド信号は、各移動体通信端末３毎の信号が多重化されたものであり、カスケード接続されたＴＲＸ５を経由する毎に信号が分岐される。分岐されたデジタルベースバンド信号は、各ＴＲＸ５にて特定のキャリア周波数のアナログ無線信号に変換された後、移動体通信端末３に向けて無線送信される。
【００２２】
このような構成にすることにより、ＴＲＸ５をビル内等のアンテナ不感地帯に延伸することができ、アンテナ不感地帯に無線信号を供給可能な、安価な無線基地局システムを実現することができる。
【００２３】
図２は、図１における１組のＴＲＸ５及びＢＩＦ８を詳細に示す構成図である。ＴＲＸ５は、アンテナ１４、ＲＦ（Ｒａｄｉｏ  Ｆｒｅｑｕｅｎｃｙ）高周波回路２７、Ａ／Ｄ（Ａｎａｌｏｇ／Ｄｉｇｉｔａｌ）コンバータ２８、受信器２１ｃ、誤り検出／訂正部２２ｃ、多重部１７ｂ、誤り検出／訂正符号付加部１９ｂ、送信器２０ｂ、受信器２１ｄ、誤り検出／訂正部２２ｄ、誤り検出／訂正符号付加部１９ｄ、送信器２０ｄ、受信器２１ａ、誤り検出／訂正部２２ａ、ＦＩＲ（Ｆｉｎｉｔｅ  Ｉｍｐｕｌｓｅ  Ｒｅｓｐｏｎｓｅ）フィルタ２５、Ｄ／Ａ（Ｄｉｇｉｔａｌ／Ａｎａｌｏｇ）コンバータ２６、誤り検出／訂正符号付加部１９ｃ、送信器２０ｃおよびＴＲＸ制御部２４を備えている。ＢＩＦ８は、受信器２１ｂ、誤り検出／訂正部２２ｂ、受信器２１ｅ、誤り検出／訂正部２２ｅ、多重部１７ａ、誤り検出／訂正符号付加部１９ａ、送信器２０ａおよびＢＩＦ制御部３０を備えている。ＴＲＸ５に設けられたＦＩＲフィルタ２５は、ローパスフィルタで構成されたデジタルフィルタである。
【００２４】
なお、ＴＲＸ５の送信器２０ｂ，２０ｃ，２０ｄは、それぞれ本発明の有線送信部を構成し、受信器２１ａ，２１ｃ，２１ｄは、それぞれ本発明の有線受信部を構成する。同様に、ＢＩＦ８の送信器２０ａは、本発明の有線送信部を構成し、受信器２１ｂ，２１ｅは、それぞれ本発明の有線受信部を構成する。また、ＴＲＸ５のアンテナ１４、ＲＦ高周波回路２７、ＦＩＲフィルタ２５、Ｄ／Ａコンバータ２６及びＡ／Ｄコンバータ２８は、全て合わせて本発明の無線送受信部１５を構成する。また、デジタル伝送路１６ａ〜１６ｆは、通信ケーブル６を構成する伝送路でありそれぞれデジタル信号を伝送する。リピータ２９ａ〜２９ｆは、図１のリピータ７を設置箇所毎に識別して表示したものである。
【００２５】
次に、図２の上り回線における信号の流れを説明する。
【００２６】
まず、移動体通信端末３から送られてきたアナログ無線信号は、アンテナ１４で受信され、ＲＦ高周波回路２７にて無線周波数からベースバンドへの周波数変換が行われ、Ａ／Ｄコンバータ２８にてアナログからデジタルへの変換が行われる。一方、カスケード接続された後段のＴＲＸ５（＃２〜＃ｎ）からデジタル伝送路１６ｄを介して伝送されてきた信号は、増幅器及びパラレルデータ生成回路等からなる受信器２１ｃにて受信される。続いて、誤り検出／訂正部２２ｃにて、デジタル伝送路１６ｄ内を受信デジタルベースバンド信号が伝送する際に生じたデータ誤りの検出及び誤り訂正処理が行われる。続いて、このカスケード接続された後段のＴＲＸ５（＃２〜＃ｎ）からデジタル伝送路１６ｄを介して伝送されてきた信号と、アンテナ１４で受信された信号とが、多重部１７ｂにて時分割多重化処理される。デジタル伝送路１６ｂの伝送過程で生じる信号の誤りを検出及び訂正できるよう、誤り検出／訂正符号付加部１９ｂにて、検査ビット（誤り訂正符号でありかつ誤り検出符合）付加処理や、バースト誤りに対応するためのインターリーブ処理等の処理が行われ、増幅器及びシリアルデータ生成回路等からなる送信器２０ｂにてシリアルデータ列に変換され、ＢＩＦ８に向けてデジタル伝送路１６ｂへ送出される。
【００２７】
ＢＩＦ８を介して伝送されてきた信号は、増幅器及びパラレルデータ生成回路等からなる受信器２１ｂにて受信され、誤り検出／訂正部２２ｂにて、デジタル伝送路１６ｂ内を受信デジタルベースバンド信号が伝送する際に生じたデータ誤りの検出及び誤り訂正処理が行われ、カスケード接続された各ＴＲＸ５（＃１〜＃ｎ）で受信した全ての受信信号がベースバンド信号処理部（ＢＢ）９へ送出される。
【００２８】
また、カスケード接続された後段のＴＲＸ５（＃ｎ〜＃Ｎ）からデジタル伝送路１６ｅを介して伝送されてきた信号は、ＴＲＸ５（＃１）の増幅器及びパラレルデータ生成回路等からなる受信器２１ｄにて受信される。続いて、誤り検出／訂正部２２ｄにて、デジタル伝送路１６ｅ内を受信デジタルベースバンド信号が伝送する際に生じたデータ誤りの検出及び誤り訂正処理が行われる。続いて、誤り検出／訂正符号付加部１９ｄにて、デジタル伝送路１６ｆの伝送過程で生じる信号の誤りを検出及び訂正できるよう、誤り検出／訂正符号（検査ビット）付加処理や、バースト誤りに対応するためのインターリーブ処理等の処理が行われ、増幅器及びシリアルデータ生成回路等からなる送信器２０ｄにてシリアルデータ列に変換され、デジタル伝送路１６ｆを介してＢＩＦ８へ送出される。
【００２９】
ＢＩＦ８では、増幅器及びパラレルデータ生成回路等からなる受信器２１ｅにて受信され、誤り検出／訂正部２２ｅにて、デジタル伝送路１６ｆ内を受信デジタルベースバンド信号が伝送する際に生じたデータ誤りの検出及び誤り訂正処理が行われ、カスケード接続された各ＴＲＸ５（＃ｎ〜＃Ｎ）で受信した全ての受信信号がベースバンド信号処理部（ＢＢ）９へ送出される。
【００３０】
以上の動作により、カスケード接続された各ＴＲＸ５（＃１〜＃Ｎ）で受信した全ての受信信号がベースバンド信号処理部（ＢＢ）９へ送出される。
【００３１】
このように、ＴＲＸ５（＃１〜＃ｎ）の信号をデジタル伝送路１６ｂで伝送し、ＴＲＸ５（＃ｎ〜＃Ｎ）の信号をデジタル伝送路１６ｆで伝送し、２つのデジタル伝送路１６ｂ，１６ｃを利用して上り回線の信号を伝送している。これにより、伝送データ量削減による通信品質の劣化を生じることなく、信号を伝送することが可能となる。
【００３２】
次に、図２の下り回線における信号の流れを説明する。
【００３３】
まず、各ベースバンド信号処理部（ＢＢ）９にてスペクトル拡散処理が行われたデジタルベースバンド信号（デジタルＩ，Ｑ（同相，直交）信号）と、保守監視制御部１２及び呼処理制御部１１からの保守監視制御及び呼処理制御信号とが、ＢＩＦ８内の多重部１７ａにて多重化処理される。続いて、デジタル伝送路１６ａの伝送過程で生じる信号の誤りを検出及び訂正できるよう、誤り検出／訂正符号付加部１９ａにて、誤り検出／訂正符号（検査ビット）付加処理や、バースト誤りに対応するためのインターリーブ処理等の処理が行われる。続いて、増幅器及びシリアルデータ生成回路等からなる送信器２０ａにて、シリアルデータ列に変換され、デジタル伝送路１６ａを介してＴＲＸ５（＃１）へ送出される。
【００３４】
ＴＲＸ５（＃１）に送られてきた信号は、増幅器及びパラレルデータ生成回路等からなる受信器２１ａにて受信される。続いて、誤り検出／訂正部２２ａにて、デジタル伝送路１６ａ内を送信デジタルベースバンド信号が伝送する際に生じたデータ誤りの検出及び誤り訂正処理が行われる。続いて、アンテナ１４から送信される信号と、カスケード接続された後段のＴＲＸ５（＃２）へ送出される信号とに分岐される。アンテナ１４から送信される信号については、ＦＩＲフィルタ２５にて、オーバーサンプリング処理を用いた周波数帯域制限処理等が行われる。周波数帯域制限処理は、入力された信号から、所定の周波数帯域外の成分を除去し、その周波数帯域の成分のみに制限する処理である。続いて、Ｄ／Ａコンバータ２６にて、デジタルからアナログへ変換される。続いて、ＲＦ高周波回路２７にて、特定のキャリア周波数に変換された無線送信信号が生成され、アンテナ１４からアナログ無線信号が送信される。一方、カスケード接続された後段のＴＲＸ５（＃２）へ送出された信号については、誤り検出／訂正符号付加部１９ｃにて、デジタル伝送路１６ｃの伝送過程で生じる信号の誤りを検出及び訂正できるよう、誤り検出／訂正符号（検査ビット）付加処理や、バースト誤りに対応するためのインターリーブ処理等の処理が行われる。続いて、増幅器及びシリアルデータ生成回路等からなる送信器２０ｃにて、シリアルデータ列に変換され、デジタル伝送路１６ｃを介して、カスケード接続された後段のＴＲＸ５（＃２）へ送出される。
【００３５】
以上のような動作が以降のＴＲＸ５（＃２〜＃Ｎ）でも繰り返されることにより、ベースバンド信号処理部（ＢＢ）９から、カスケード接続された各ＴＲＸ５（＃１〜＃Ｎ）へ全ての送信信号が伝送される。
【００３６】
このように、下り回線では、ローパスフィルタで構成されるＦＩＲフィルタ２５をＴＲＸ５に設けることにより、デジタル伝送路１６ａを介して伝送されてきた信号が、その後段のＦＩＲフィルタ２５で周波数帯域制限処理されるため、デジタル伝送路１６ａで誤りが発生した場合の、無線性能への影響及びノイズ相加の影響も小さくなるという効果がある。また、オーバーサンプリング処理を行なうＦＩＲフィルタ２５がデジタル伝送路１６ａの後段にあるため、デジタル伝送路１６ａを介して伝送されるデータのレートも小さくなるという効果がある。
【００３７】
なお、仮に、ＦＩＲフィルタをＴＲＸ５ではなくＢＩＦ８に設けたとした場合は、ＦＩＲフィルタで周波数帯域制限処理された後にデジタル伝送路１６ａを介して伝送されるため、デジタル伝送路１６ａで誤りが発生すると、無線性能への影響が大きくなり、ノイズ相加の影響も大きくなる。また、オーバーサンプリング処理を行なうＦＩＲフィルタ２５がデジタル伝送路１６ａの前段にあるため、デジタル伝送路１６ａを介して伝送されるデータのレートが大きくなる。本発明では、このような不具合を回避している。
【００３８】
次に、保守監視制御および呼処理制御信号の流れを説明する。
【００３９】
下り回線において、保守監視制御部１２及び呼処理制御部１１からの保守監視制御及び呼処理制御信号は、各ベースバンド信号処理部（ＢＢ）９にてスペクトル拡散処理が行われたデジタルベースバンド信号（デジタルＩ，Ｑ信号）と、ＢＩＦ８内の多重部１７ａにて時分割多重化処理が行われる。続いて、デジタル伝送路１６ａの伝送過程で生じる保守監視制御及び呼処理制御信号の誤りを検出できるよう、誤り検出／訂正符号付加部１９ａにて、誤り検出符号（検査ビット）付加処理や、バースト誤りに対応するためのインターリーブ処理等の処理が行われる。続いて、増幅器及びシリアルデータ生成回路等からなる送信器２０ａにてシリアルデータ列に変換され、デジタル伝送路１６ａを介してＴＲＸ５（＃１）へ送出される。
【００４０】
ＢＩＦ８からの送信信号は、ＴＲＸ５（＃１）内の、増幅器及びパラレルデータ生成回路等からなる受信器２１ａにて受信される。続いて、誤り検出／訂正部２２ａにて、デジタル伝送路１６ａ内を保守監視制御及び呼処理制御信号が伝送される際に生じたデータ誤りの検出処理が行われる。なお、誤り検出／訂正部２２ａは、通常データについて誤り訂正処理を、保守監視制御及び呼処理制御信号について誤り検出処理を、選択的に行う。続いて、ＴＲＸ５（＃１）に対する保守監視制御及び呼処理制御信号と、カスケード接続された後段のＴＲＸ５（＃２）へ送出される信号とに分岐される。ＴＲＸ５（＃１）に対する保守監視制御及び呼処理制御信号は、ＴＲＸ制御部２４へ入力される。一方、誤り検出／訂正部２２ａにて、保守監視制御及び呼処理制御信号のデータ誤りの検出結果がＴＲＸ制御部２４へ入力され、ＴＲＸ制御部２４にて、データ誤りの検出結果により誤りとなっている保守監視制御及び呼処理制御信号については無視され、誤りでない保守監視制御及び呼処理制御信号に基づいて、ＴＲＸ５（＃１）の保守監視制御及び呼処理制御が行われる。
【００４１】
一方、カスケード接続された後段のＴＲＸ５（＃２）へ送出される信号については、誤り検出／訂正符号付加部１９ｃにて、デジタル伝送路１６ｃの伝送過程で生じる保守監視制御及び呼処理制御信号の誤りを検出できるよう、誤り検出符号（検査ビット）付加処理や、バースト誤りに対応するためのインターリーブ処理等の処理が行われる。続いて、増幅器及びシリアルデータ生成回路等からなる送信器２０ｃにてシリアルデータ列に変換され、デジタル伝送路１６ｃを介してカスケード接続された後段のＴＲＸ５（＃２）へ送出される。
【００４２】
このように、本発明では、下り回線における保守監視制御及び呼処理制御信号については、誤り訂正を行うことなく、誤り検出を行っている。これは、通常のユーザデータ信号が、無線基地局本体装置４およびＴＲＸ５と移動体通信端末３との間で連続して通信されるデータであり、比較的伝送レートが高いため、誤りデータの切り捨てが無線性能の劣化に直結するのに対し、保守監視制御および呼処理制御信号が非連続の信号であり、通常のユーザデータ信号に比べ伝送レートも低いため、誤りデータの切り捨てによる無線性能への影響が比較的小さい、という事情による。したがって、保守監視制御及び呼処理制御信号について、誤り訂正を行うことなく、誤り検出のみを行うことによって、誤り検出／訂正部２２ａを簡易に構成することができる。
【００４３】
なお、ここでいう保守監視制御信号は、例えば、ＴＲＸ５（＃１）の送信を停止させる制御信号であり、呼処理制御信号は、例えば、ＴＲＸ５（＃１）の送信周波数を設定する制御信号である。また、誤りが検出されたために無視された制御信号については、再送制御を行うことによって救済することができる。
【００４４】
次に、上り回線における状態通知信号の流れを説明する。
【００４５】
保守監視制御部１２及び呼処理制御部１１から送られてきた保守監視制御および呼処理制御信号に応じて、各ＴＲＸ５（＃１〜＃Ｎ）のＴＲＸ制御部２４において、保守監視制御および呼処理制御が行われ、その結果を反映し、各ＴＲＸ５（＃１〜＃Ｎ）の状態が検出され、検出された状態に関する情報を含む状態通知信号が出力される。ここでいう、各ＴＲＸ５（＃１〜＃Ｎ）の状態に関する情報を含む状態通知信号とは、例えば、ＴＲＸ５（＃１）の送信が停止していることを示す状態通知信号（保守監視制御信号に対する状態通知信号）や、ＴＲＸ５（＃１）から実際に送信された電波の周波数実測値を示す状態通知信号（呼処理制御信号に対する状態通知信号）である。
【００４６】
ＴＲＸ５（＃１）のＴＲＸ制御部２４が出力した、ＴＲＸ５（＃１）の状態に関する情報を含む状態通知信号と、アンテナ１４で受信してＡ／Ｄコンバータ２８を経由した受信デジタルベースバンド信号と、カスケード接続された後段のＴＲＸ５（＃２〜＃ｎ）の、デジタル伝送路１６ｄを介して伝送される受信デジタルベースバンド信号とが、多重部１７ｂにて時分割多重化処理される。続いて、デジタル伝送路１６ｂの伝送過程で生じるＴＲＸ５（＃１）の状態に関する情報を含む状態通知信号の誤りを検出できるよう、誤り検出／訂正符号付加部１９ｂにて、誤り検出／訂正符号（検査ビット）付加処理や、バースト誤りに対応するためのインターリーブ処理等の処理が行われる。続いて、増幅器及びシリアルデータ生成回路等からなる送信器２０ｂにてシリアルデータ列に変換され、デジタル伝送路１６ｂを介してＢＩＦ８へ送出される。
【００４７】
ＴＲＸ５（＃１）からの信号は、ＢＩＦ８内の増幅器及びパラレルデータ生成回路等からなる受信器２１ｂにて受信される。続いて、誤り検出／訂正部２２ｂにて、ＴＲＸ５（＃１）の状態に関する情報を含む状態通知信号がデジタル伝送路１６ｂ内を伝送する際に生じたデータ誤りの検出が行われ、状態通知信号がそのままＢＩＦ制御部３０へ伝送される。また、誤り検出／訂正部２２ｂから、ＴＲＸ５（＃１）の状態に関する情報を含む状態通知信号のデータ誤り検出結果もＢＩＦ制御部３０へ伝送される。ＢＩＦ制御部３０では、データ誤りの検出結果により誤りとなっているＴＲＸ５（＃１）の状態に関する情報を含む状態通知信号については無視し、誤りでないＴＲＸ５（＃１）の状態に関する情報を含む状態通知信号だけが、保守監視制御部１２及び呼処理制御部１１へ伝送される。
【００４８】
同様に、カスケード接続された各ＴＲＸ５（＃２〜＃ｎ）の状態に関する情報を含む全ての状態通知信号が、前段のＴＲＸ５を経由して、保守監視制御部１２及び呼処理制御部１１へ伝送される。
【００４９】
一方、デジタル伝送路１６ｅを介して伝送される、カスケード接続された各ＴＲＸ５（＃ｎ〜＃Ｎ）の状態に関する情報を含む全ての状態通知信号に対しては、誤り検出／訂正符号付加部１９ｄにて、デジタル伝送路１６ｆの伝送過程で生じる各ＴＲＸ５（＃ｎ〜＃Ｎ）の状態に関する情報を含む全ての状態通知信号の誤りを検出できるよう、誤り検出符号（検査ビット）付加処理や、バースト誤りに対応するためのインターリーブ処理等の処理が行われる。続いて、増幅器及びシリアルデータ生成回路等からなる送信器２０ｄにてシリアルデータ列に変換され、デジタル伝送路１６ｆを介してＢＩＦ８へ送出される。
【００５０】
続いて、ＢＩＦ８内の増幅器及びパラレルデータ生成回路等からなる受信器２１ｅにて受信される。続いて、誤り検出／訂正部２２ｅにて、各ＴＲＸ５（＃ｎ〜＃Ｎ）の状態に関する情報を含む全ての状態通知信号がデジタル伝送路１６ｆ内を伝送する際に生じたデータ誤りの検出が行われ、状態通知信号がそのままＢＩＦ制御部３０へ伝送される。一方、誤り検出／訂正部２２ｅから、各ＴＲＸ５（＃ｎ〜＃Ｎ）の状態に関する情報を含む全ての状態通知信号のデータ誤り検出結果がＢＩＦ制御部３０へ伝送される。ＢＩＦ制御部３０では、データ誤りの検出結果により誤りとなっている各ＴＲＸ５（＃ｎ〜＃Ｎ）の状態に関する情報を含む全ての状態通知信号については無視し、誤りでない各ＴＲＸ５（＃ｎ〜＃Ｎ）の状態に関する情報を含む全ての状態通知信号のみを、保守監視制御部１２及び呼処理制御部１１へ伝送する。
【００５１】
以上により、カスケード接続された各ＴＲＸ５（＃１〜＃Ｎ）の状態に関する情報を含む全ての状態通知信号が、保守監視制御部１２及び呼処理制御部１１へ送出される。
【００５２】
このように、下り回線において、誤り検出信号を付加した制御信号を伝送し、誤りが検出されなかった制御信号に基づいた制御を行うことによって、誤った制御信号に基づく誤った制御動作を回避することができる。また、上り回線において、誤り検出信号を付加した状態通知信号を伝送し、誤りが検出されなかった状態通知信号を保守監視制御部１２及び呼処理制御部１１へ送出することによって、誤った状態通知信号に基づく誤った制御動作を回避し、かつ、無駄な状態通知信号の送信を抑制することができる。
【００５３】
次に、クロック信号の伝達動作について説明する。
【００５４】
ＢＩＦ８における送信器２０ａにおいて、無線基地局本体装置４のシステムクロック信号、すなわちクロック生成回路１３によって生成されたクロック信号に同期した逓倍クロック信号を用いて、誤り訂正符号付加部１９ａからのパラレルデータを、デジタル伝送路１６ａに伝送するためのシリアルデータ列に変換する際に、前記シリアルデータ列にシステムクロック信号の情報を埋め込むように構成する。例えば、誤り検出／訂正符号付加部１９ａからのパラレルデータをシリアルデータ列に変換する際に、データの先頭を示す先頭ビットと、データの末尾を示す末尾ビットの２ビットを付加するようにする。
【００５５】
一方、ＴＲＸ５（＃１）における受信器２１ａのパラレルデータ生成回路部では、前記先頭ビットと末尾ビットとの時間間隔に対応した周波数から、無線基地局本体装置４と同期したクロック信号を、デジタル伝送路１６ａで伝送されるシリアルデータ列から再生することが可能である。
【００５６】
このように、クロック信号をデジタル伝送路１６ａと別線で伝送させる必要がないため、安価で且つ小型なシステムにおいて、ＴＲＸ５（＃１）を無線基地局本体装置４と同期させて動作させることができる。
【００５７】
同様に、ＴＲＸ５（＃１）において、上記の受信器２１ａで再生したクロック信号を、送信器２０ｃのシリアルデータ生成回路部で、伝送データ生成用クロック信号源として用いることにより、ＴＲＸ５（＃２）を、無線基地局本体装置４と同期して動作させることができる。以下、同様に構成することにより、ＴＲＸ５（＃１〜＃Ｎ）全てを、無線基地局本体装置４のシステムクロック信号と同期して動作させることができる。
【００５８】
【発明の効果】
以上、詳説したように、本発明によれば、複数のデジタル伝送路を上り回線の伝送に用いるため、通信ケーブルを介して伝送される信号の品質を劣化させることなく、多くのリモート送受信装置を無線基地局本体装置に接続できる。
【００５９】
また、本発明によれば、リモート送受信装置にデジタルフィルタを設けることによって、通信ケーブルにおいて発生するノイズ相加の影響を抑制でき、無線の通信品質を向上できる。
【００６０】
また、本発明によれば、リモート送受信装置の誤り検出部で誤りが検出されなかった制御信号に基づいて制御部が制御を行うため、誤った制御信号に基づいて誤った制御が行われることを防止できる。
【００６１】
また、本発明によれば、無線基地局本体装置の誤り検出部で誤りが検出されなかった状態通知信号に基づいて制御部が制御を行うため、誤った状態通知信号に基づいて誤った制御が行われることを防止できる。
【００６２】
また、本発明によれば、クロック信号を伝達するための専用伝送路を設ける必要がなく、設備規模を小さくすることができる。
【図面の簡単な説明】
【図１】本発明の実施の形態に関連する無線通信システム全体を示す構成図である。
【図２】図１における１組のＴＲＸ５及びＢＩＦ８を詳細に示す構成図である。
【符号の説明】
１  無線ネットワーク制御装置
２  無線基地局システム
３  移動体通信端末
４  無線基地局本体装置
５  リモート送受信装置（ＴＲＸ）
６  通信ケーブル
７  リピータ
８  無線基地局インタフェイス部（ＢＩＦ）
９  ベースバンド信号処理部（ＢＢ）
１０  有線伝送路インタフェイス部
１１  呼処理制御部
１２  保守監視制御部
１３  クロック生成部
【図１】
2004173133.tif 000003
【図２】
2004173133.tif 000004